(57)【要約】【課題】脚に対して回転可能な座部を意図することなく回転しないように通常ロックするとともに、偏荷重が作用しても長期にわたって安定して回転させる。【解決手段】脚２に対して座部３を回転自在に支持する回転機構６が、脚２に固定され、周方向に設定間隔をおいて複数個の嵌合穴が形成された下取付部材６１と、座部３に固定されるとともに、下取付部材６１と回転自在に連結された上取付部材６５と、下取付部材６１の周縁部にローラ受け部材６２を介して周方向に設定間隔をおいてそれぞれ回転自在に軸支された複数個の支持ローラ６４と、から構成される。そして、通常座部３を回転不能に固定するロック装置７が、上取付部材６５に回動自在に軸支されたロックレバー７１と、下取付部材６１の嵌合穴６１ａに嵌合可能なロックピン７２と、ロックピン７２が嵌合穴６１ａと嵌合する方向に付勢するスプリング７３と、から構成される。【選択図】  図９
2005110785.tif 000002
【特許請求の範囲】
【請求項１】
脚に対して回転機構を介して回転自在に支持された座部と、座部に取り付けられた背もたれと、背もたれに取り付けられた一対の肘掛けと、座部を通常回転不能に固定するロック装置と、からなる浴室用椅子であって、前記回転機構は、脚に固定され、周方向に設定間隔をおいて複数個の嵌合穴が形成された下取付部材と、座部に固定されるとともに、下取付部材と回転自在に連結された上取付部材と、下取付部材または上取付部材の周縁部に直接または間接的に周方向に設定間隔をおいてそれぞれ回転自在に軸支された複数個の支持ローラと、から構成され、また、ロック装置が、上取付部材に水平軸回りに回動自在に軸支されたロックレバーと、ロックレバーに設けられて下取付部材の嵌合穴に嵌合可能なロックピンと、上取付部材とロックレバー間に配設されてロックピンが嵌合穴と嵌合する方向に付勢するスプリングと、から構成されることを特徴とする浴室用椅子。
【請求項２】
前記支持ローラが太鼓状であることを特徴とする請求項１記載の浴室用椅子。
【請求項３】
前記肘掛けが背もたれの両側から前方に差し出された略水平な使用位置と、座部の上部側方が開放された略垂直な跳ね上げ位置にわたって水平軸回りに回動自在であることを特徴とする請求項１または２記載の浴室用椅子。
【請求項４】
前記一対の肘掛けが互いの間隔を調節可能であることを特徴とする請求項１乃至３のいずれかに記載の浴室用椅子。
【発明の詳細な説明】
【技術分野】
【０００１】
本発明は、高齢者や身体障害者、病人などの介助に好適な浴室用椅子に関するものである。
【背景技術】
【０００２】
高齢者や身体障害者、病人などは、入浴時に椅子に腰掛けて体を洗うのが好都合であり、従来から、種々の浴室用椅子が提案されている。
【０００３】
例えば、特許文献１には、金属パイプをＵ字状に湾曲形成した肘掛けが備えられた浴室用椅子が記載されている。この浴室用椅子の肘掛けは、座部の両側から上方に立ち上がらせた取付位置と、背もたれの両側から前方に差し出した取付位置とに変更できるように構成されており、高齢者などの使用者の体形や障害の程度、使用状況に応じて肘掛けの取付位置を変えるようになっている。
【０００４】
また、椅子に座った高齢者などを介助する際、座部が回転して、使用者の向きを変えることができると、介助者の負担が軽くなるとともに、使用者自身も楽である。しかし、座部の回転を適確にロックするロック機構がなければ、使用者の意に反して回転してしまうおそれがあり、特に体の不自由な高齢者などにとっては危険であり、また、介助者にとっても負担が大きくなる。このような観点から、回転椅子のロック機構が、種々提案されている。
【０００５】
例えば、特許文献２には、ネジで締め付けることにより、回転体を一時的に固定する回転体の固定装置が記載され、また、特許文献３には、固定ピンを、台座の挿入孔に挿入することで台座を固定する浴槽用回転座板が記載されている。
【特許文献１】特開２００２−３２５６４８号公報
【特許文献２】実用新案登録第３０６３９９６号公報
【特許文献３】特開平８−２９４４６２号公報
【発明の開示】
【発明が解決しようとする課題】
【０００６】
しかしながら、特許文献１記載の浴室用椅子では、肘掛けがビスで座部の上部両側方に固定されているため、浴室用椅子の前方からしか体を移すことができない。このため、使用者が浴室用椅子に座って体を洗った後に浴槽につかる際、狭い浴室内で椅子の向きを変更する必要があり、使用者および介助者の負担が大きかった。
【０００７】
特許文献２に記載の回転椅子の固定装置では、固定させる度にネジを締め付ける必要があるため煩雑である。その上、締め付けが緩ければ回転してしまい、危険である。
【０００８】
特許文献３に記載の固定方法では、座部を持ち上げ、座部の下側から、固定ピンで脚に形成された穴を探す必要があるので、不便である。また、使用者が立ち上がらなければ、回転させることができず、また、回転不能位置に固定することもできない。
【０００９】
本発明は、このような問題点に鑑みてなされたものであって、脚に対して回転可能な座部を意に反して回転しないように通常ロックするとともに、偏荷重が作用しても長期にわたって安定して回転させることのできる浴室用椅子を提供するものである。
【課題を解決するための手段】
【００１０】
本発明は、脚に対して回転機構を介して回転自在に支持された座部と、座部に取り付けられた背もたれと、背もたれに取り付けられた一対の肘掛けと、座部を通常回転不能に固定するロック装置と、からなる浴室用椅子であって、前記回転機構は、脚に固定され、周方向に設定間隔をおいて複数個の嵌合穴が形成された下取付部材と、座部に固定されるとともに、下取付部材と回転自在に連結された上取付部材と、下取付部材または上取付部材の周縁部に直接または間接的に周方向に設定間隔をおいてそれぞれ回転自在に軸支された複数個の支持ローラと、から構成され、また、ロック装置が、上取付部材に水平軸回りに回動自在に軸支されたロックレバーと、ロックレバーに設けられて下取付部材の嵌合穴に嵌合可能なロックピンと、上取付部材とロックレバー間に配設されてロックピンが嵌合穴と嵌合する方向に付勢するスプリングと、から構成されることを特徴とするものである。
【００１１】
本発明によれば、脚に固定された下取付部材に対して、座部に固定されるとともに、下取付部材に回転自在に連結された上取付部材が支持ローラを介して載置されているため、座部は回転自在に支持される。しかしながら、通常、上取付部材に設けられたロックピンがスプリングの付勢力により、下取付部材の嵌合穴に嵌合されており、上取付部材、すなわち、座部は、下取付部材、すなわち、脚に対して回転しないようにロックされている。したがって、使用者の意に反して座部が回転することがなく、安全性が高い。
【００１２】
一方、ロックレバーを介してロックピンを下取付部材の嵌合穴から抜き出せば、下取付部材に対する上取付部材のロック状態を解除することができる。このため、使用者は、浴室用椅子に座ったままで、座部を回転させて体の向きを変えることができ、使用者および介助者の負担が軽くなる。
【００１３】
この際、座部に偏荷重が作用したとしても、例えば、背もたれにもたれて座部を回転させたとしても、偏荷重を下取付部材および上取付部材の周縁部に配置された支持ローラによって分散して支持することができる。このため、偏荷重による力が回転中心部分に集中して作用することによるがたつきの発生を防止して、長期にわたって安定して回転させることができ、耐久性を向上させることができる。
【００１４】
本発明において、前記支持ローラが太鼓状であると、座部に偏荷重が作用した場合であっても、上取付部材は、支持ローラに線接触で支持されるため、支持ローラの片減りを防止することができる。
【００１５】
本発明において、前記肘掛けが背もたれの両側から前方に差し出された略水平な使用位置と、座部の上部側方が開放された略垂直な跳ね上げ位置にわたって水平軸回りに回動自在であると、肘掛けを使用位置に回動することで、使用者の体を安定して支えることができる。一方、肘掛けを跳ね上げ位置に回動することで、浴室用椅子の側方が開放され、使用者が浴室用椅子の側方から移乗することができる。したがって、使用者および介護者の負担が軽減される。
【００１６】
本発明において、前記一対の肘掛けが互いの間隔を調節可能であると、使用者の体型に応じて、肘掛けの間隔を調節して浴室用椅子を使用することができ、使い勝手がよい。
【発明の効果】
【００１７】
本発明によれば、脚に対して回転可能な座部を意に反して回転しないように通常ロックするとともに、偏荷重が作用しても長期にわたって安定して回転させることができる。
【発明を実施するための最良の形態】
【００１８】
以下、本発明の実施の形態について図を参照して説明する。
【００１９】
図１乃至図３には、本発明の浴室用椅子１の一実施形態が示されている。
【００２０】
この浴室用椅子１は、脚２と、脚２に回転自在に支持された座部３と、座部３に取り付けられた背もたれ４と、背もたれ４に取り付けられた一対の肘掛け５と、座部３を脚２に対して回転自在に支持する回転機構６と、回転機構６に設けられ、通常、座部３を回転不能に固定するロック装置７と、から構成されている。
【００２１】
脚２は、略コ字状に折曲された一対の脚本体２１と、各脚本体２１の両端部にそれぞれ摺動自在に嵌挿された４本の伸縮脚２２と、からなり、金属製パイプ、例えば、防錆性や軽量性に優れたアルミニウムパイプで形成されている。そして、一対の脚本体２１は、詳細には図示しないが、それぞれ略中間位置が略偏平に押し潰されるとともに、押し潰された略中間位置でＸ字状に交差され、交差部分がネジ止めされて一体に固定されている。
【００２２】
また、脚本体２１の両端部近傍には、図示しないバネを介して外周面から突出するように付勢された位置決めピン２３が設けられている。
【００２３】
一方、各伸縮脚２２には、脚本体２１に設けられた位置決めピン２３に対応して、設定間隔をおいて複数個の位置決め穴２２ａが形成されており、位置決め穴２２ａに位置決めピン２３を嵌合させることにより、脚本体２１に対する伸縮脚２２の伸縮量を調節することができる。また、各伸縮脚２２の上端には、キャップ２４がねじ込まれており、キャップ２４を締め付けることにより、脚本体２１の外周面と伸縮脚２２の内周面との隙間を狭めてがたつきを防止することができる。さらに、各伸縮脚２２の下端部には、脚ゴム２５が装着されており、洗い場面に傷をつけたり、滑ることが防止される。
【００２４】
なお、脚２の材質としては、アルミ以外に、鉄あるいはステンレスであってもよい。
【００２５】
座部３は、図４に示すように、前端に凹状部を有するプラスチック製の中空状座本体３１と、座本体３１に合致する形状に形成されて座本体３１の上面全体を覆う発泡プラスチック製のクッション部３２と、からなり、座本体３１が脚２の脚本体２１にネジ止めされている。そして、座本体３１には複数個の嵌合穴３１ａが形成され、一方、クッション部３２の裏面には、座本体３１の嵌合穴３１ａに嵌合可能な突出部３２ａが下方に向けて形成されている。したがって、座本体３１の嵌合穴３１ａにクッション部３２の突出部３２ａを嵌合させることにより、座本体３１およびクッション部３２を一体化して座部３を形成することができ、また、クッション部３２を座本体３１から簡単に取り外して洗浄したり、交換することができる。
【００２６】
背もたれ４は、図５に示すように、指を挿入可能な把持穴４１ｘが形成されたプラスチック製の中空状背もたれ本体４１と、背もたれ本体４１の把持穴４１ｘに対応する把持穴４２ｘが形成されるとともに、背もたれ本体４１に合致する形状に形成されて背もたれ本体４１の前面全体を覆う発泡プラスチック製のクッション部４２と、略Ｌ字状に折曲されて、一端部が背もたれ本体４１の背面にネジ止めされたアルミパイプ製の一対のアーム４３と、からなり、各アーム４３の他端部は、脚２の脚本体２１にネジ止めされている。そして、背もたれ本体４１には複数個の嵌合穴４１ａが形成され、一方、クッション部４２の裏面には、背もたれ本体４１の嵌合穴４１ａに嵌合可能な突出部４２ａが後方に向けて形成されている。したがって、背もたれ本体４１の嵌合穴４１ａにクッション部４２の突出部４２ａを嵌合させることにより、背もたれ本体４１およびクッション部４２を一体化して背もたれ４を形成することができ、また、クッション部４２を背もたれ本体４１から簡単に取り外して洗浄したり、交換することができる。
【００２７】
なお、図示しないが、クッション部４２の突出部４２ａは、背もたれ本体４１の嵌合穴
４１ａに対して簡単に脱落しない程度に摩擦力を有する形状とされている。
【００２８】
肘掛け５は、略中間部がＵ字状に屈曲されるとともに、略後半部が上方より見て直角に屈曲された略平行な上辺部５１１および下辺部５１２を有するアルミパイプ製の肘掛け本体５１と、前述した背もたれ４の背もたれ本体４１の背面下部に固定されたパイプホルダー５２と、両端部がパイプホルダー５２の側端縁を越えて突出するようにパイプホルダー５２に固定されたガイドパイプ５３と、背もたれ４の各アーム４３の一端部にそれぞれ固定されたパイプキャッチ５４と、からなり、肘掛け本体５１の下辺部５１２の先端部がガイドパイプ５３に摺動自在に嵌挿されている。そして、肘掛け本体５１のＵ字状屈曲部を含む上辺部５１１と下辺部５１２の略前半部は、プラスチック発泡体製のクッション部５５で被覆されている。
【００２９】
一方、図６に示すように、肘掛け本体５１の上辺部５１１の先端部近傍には、図示しないバネを介して外周面から突出するように付勢された外れ防止ピン５６１が設けられ、また、その先端縁部には、プラスチック製の外れ防止リング５６２が設けられており、通常、図３に示すように、外れ防止ピン５６１とパイプキャッチ５４の内端面とが当接されている。
【００３０】
また、肘掛け本体５１の下辺部５１２の先端部には、外れ防止ピン５６１および外れ防止リング５６２の間隔と同一の間隔をおいて、図示しないバネを介して外周面から突出するように付勢された２個のストッパピン５７１，５７２が設けられている。そして、ガイドパイプ５３の両端部には、ストッパピン５７１，５７２を選択的に嵌合可能な長穴５３ａが周方向に沿ってそれぞれ形成されている（図３参照）。このガイドパイプ５３の長穴５３ａの長さは、肘掛け５の回動範囲に設定されている。すなわち、肘掛け５が略水平な使用位置（図２参照）にあるとき、ストッパピン５７１，５７２は長穴５３ａの一方の内端縁に当接し、それ以上の下方への回動を阻止し、また、肘掛け５を使用位置から回動させて略垂直な跳ね上げ位置（図７参照）にあるとき、ストッパピン５７１，５７２は長穴５３ａの他方の内端縁に当接し、それ以上の上方への回動を阻止するようになっている。
【００３１】
また、ストッパピン５７１，５７２を押し込んで、肘掛け５を互いに接近する方向あるいは離隔する方向に移動させることにより、使用者の体型に合わせて肘掛け５の間隔を簡単に調整することができる。
【００３２】
ここで、外方のストッパピン５７１がガイドパイプ５３の長穴５３ａに嵌合されるとき、外れ防止ピン５６１がパイプキャッチ５４の内端縁に当接可能であり（図３参照）、また、外方のストッパピン５７１を押し込んで肘掛け５を互いに離隔する方向に引き出すことにより、内方のストッパピン５７２がガイドパイプ５３の長穴５３ａに嵌合されるとき、外れ防止リング５６２がパイプキャッチ５４の内端縁に当接可能となっている（図８参照）。
【００３３】
回転機構６は、図９および図１０に示すように、ボス６１１を有するプラスチック製の下取付部材６１と、下取付部材６１の周縁部にネジ止めされ、周方向に設定間隔をおいて下方に向けて凸状の複数個のローラ支持部６２１が形成されたリング状のローラ受け部材６２と、ローラ受け部材６２の内方に位置して下取付部材６１にネジ止めされ、下取付部材６１のボス６１１に嵌合可能な穴６３ａが中心部に形成されるとともに、周方向に設定間隔をおいて周縁部に複数個の嵌合穴６３ｂが形成されたアルミ製の回転分割板６３と、ローラ受け部材６２の各ローラ支持部６２１にそれぞれ回転自在に軸支された太鼓状の複数個の支持ローラ６４と、下取付部材６１のボス６１１に嵌合可能なボス６５１を有するプラスチック製の上取付部材６５と、上取付部材６５の周縁部にネジ止めされ、支持ローラ６４に対応する案内溝６６ａが周方向に形成されたリング状のローラ当て板６６と、か
らなり、下取付部材６１が脚２の脚本体２１にネジ止めされ、また、上取付部材６５が座部３の座本体３１にネジ止めされ、さらに、上取付部材６５のボス６５１が下取付部材６１のボス６１１に嵌合されて、下取付部材６１と上取付部材６５が下取付部材６１のボス６１１に挿通された連結ボルト６７およびナット６８によって回転自在に締結されて構成されている。
【００３４】
そして、下取付部材６１の周縁部には、ローラ受け部材６２の各ローラ支持部６２１に対応して、周方向に設定間隔をおいて凹状の複数個の支持部６１２が形成されており、下取付部材６１の各支持部６１２にローラ受け部材６２の各ローラ支持部６２１を嵌合させて下取付部材６１にローラ受け部材６２を配置することができる。また、下取付部材６１には、回転分割板６３の各嵌合穴６３ｂに対応して、周方向に設定間隔をおいて複数個の嵌合穴６１ａが形成されており、下取付部材６１のボス６１１に回転分割板６３の穴６３ａを挿通し、それらの嵌合穴６１ａ，６３ｂを合わせて、下取付部材６１に回転分割板６３を固定することができる。
【００３５】
また、上取付部材６５の周縁部には、下方に突出するフランジ６５２が形成され、該フランジ６５２の内径は、下取付部材６１の外径よりも若干大きく設定されており、下取付部材６１に上取付部材６５を重ねて締結した場合、上取付部材６５のフランジ６５２の内周面が下取付部材６１の外周面に嵌合されるようになっている。
【００３６】
ここで、支持ローラ６４の材質としては、合成樹脂や金属に限定されないが、回転することから、ＰＯＭやナイロンなどの摺動性に優れた材料が好ましい。
【００３７】
また、ローラ当て板６６の材質としては、強度が要求されるため、金属が好ましいが、硬質の合成樹脂を採用することもできる。金属を用いる場合は、アルミ、ステンレスの他、防錆処理された鋼を用いることができる。硬質の合成樹脂としては、ＡＢＳ、ポリスチロール、ポリカーボネート、ポリエステル、ＰＢＴ、ナイロン、ＰＯＭなの他、そのアロイを挙げることができる。また、ポリプロピレンにタルクなどで補強してもよい。
【００３８】
一方、上取付部材６５の上面には、図１１に示すように、断面略半円状の２本の第１凹部６５ａが半径方向に直交して形成されるとともに、これらの第１凹部６５ａの外周縁を結んで断面略方形状の第２凹部６５ｂが形成されている。また、第１凹部６５ａには、その外周縁部に円形状の凹部６５ｃが形成されるとともに、前述した回転分割板６３の各嵌合穴６３ｂおよび下取付部材６１の各嵌合穴６１ａと同一半径上に位置して、貫通穴６５ｄが形成されている。さらに、各第１凹部６５ａの内面には、長さ方向の略中間に位置して、後述するロックレバー７１の直径より若干小幅の、かつ、水平方向に貫通穴（図示せず）をそれぞれ形成した一対の保持部６５ｅが対向して形成されている。
【００３９】
これらの第１凹部６５ａと第２凹部６５ｂによって形成された略直角三角形状の凹部には、後述するロック装置７のロックレバー７１が配置され、その際、ロックレバー７１のレバー７１１が一対の保持部６５ｅに挾持されるとともに、その貫通穴にピン７４（図１０参照）を挿通することにより、ロックレバー７１を水平軸回りに回動自在に軸支することができる。
【００４０】
一方、ロック装置７は、図１１に示すように、略直角三角形状のロックレバー７１と、ロックレバー７１の先端に水平軸回りに回動自在に軸支されたロックピン７２と、前述した上取付部材６５の凹部６５ｃに配置されてロックレバー７１を上方に向けて付勢するスプリング７３（図１０参照）と、からなり、ロックピン７２は、上取付部材６５に形成された貫通穴６５ｄに挿通され、その先端が回転分割板６３の嵌合穴６３ｂを経て下取付部材６１の嵌合穴６１ａに嵌合可能に設定されている。
【００４１】
ロックレバー７１は、略く字状に折曲された一対のレバー７１１の基端部同士を直交して配置するとともに、それらのレバー７１１の略中間部に連結材７１２を連結して形成され、上取付部材６５の一対の第１凹部６５ａおよび第２凹部６５ｂにそれぞれ各レバー７１１の基端部および連結材７１２が配置されている。そして、各レバー７１１の先端には、それぞれ操作部７１３がほぼ一線上に対向して設けられている。また、ロックレバー７１のレバー７１１には、上取付部材６５の各第１凹部６５ａにそれぞれ設けられた一対の保持部６５ｅの貫通穴に対向して、図示しない貫通穴が形成されており、一対の保持部６５ｅの貫通穴およびレバー７１１の貫通穴を通してピン７４を挿通することにより、ロックレバー７１を上取付部材６５に対して水平軸回りに回動自在に軸支することができる。
【００４２】
したがって、予め下取付部部材６１に、ローラ受け部材６２および回転分割板６３をそれぞれネジ止めするとともに、ローラ受け部材６２の各ローラ支持部６２１にそれぞれ支持ローラ６４を嵌め込んで軸支した後、脚２の脚本体２１に下取付部材６１をビス止めする。一方、上取付部材６５にローラ当て板６６をビス止めした後、その凹部６５ｃにスプリング７３を配置するとともに、ロックレバー７１に連結されたロックピン７２を上取付部材６５の貫通穴６５ｄに挿通し、さらに、上取付部材６５の第１凹部６５ａおよび第２凹部６５ｂにわたってロックレバー７１を配置し、レバー７１１の貫通穴および保持部６５ｅの貫通穴にピン７４を挿通する。次いで、上取付部材６５のボス６５１にボルト６７を挿通した後、座部３の座本体３１と上取付部材６５をビス止めし、座本体３１にネジ止めされた上取付部材６５のボス６５１を下取付部材６１のボス６１１に嵌合し、下取付部材６１のボス６１１に挿通されたボルト６７にナット６８をねじ込んで、上取付部材６５と下取付部材６１を連結する。この際、図９に示すように、ロックレバー７１におけるレバー７１１の操作部７１３は、座部３の外方に位置している。
【００４３】
これにより、下取付部材６１の周縁部に配設された支持ローラ６４に、ローラ当て板６６を介して上取付部材６５が載置されることにより、上取付部材６５、すなわち、座部３は、周縁部が支持ローラ６４に支持されて、下取付部材６１のボス６１１回りに回転することができる。この場合、上取付部材６５は、下取付部材６１の周縁部にそれぞれ回転自在に軸支された複数個の支持ローラ６４によって支持されているため、座部３に偏荷重が作用した場合であっても、例えば、使用者が背もたれ４にもたれたまま回転させた場合であっても、偏荷重を分散して支持することができる。すなわち、偏荷重による力がボス６１１，６５１の根本に集中して作用し、ボス６１１，６５１にがたつきが発生するのを防止でき、耐久性を向上させることができる。
【００４４】
また、ロックレバー７１は、スプリング７３の付勢力により、上取付部材６５の貫通穴６５ｄに挿通されたロックピン７２が、回転分割板６３の嵌合穴６３ｂを経て下取付部材６１の嵌合穴６１ａに嵌合する方向に付勢されて、上取付部材６５に対して水平軸回りに回動自在に軸支されている。このため、座部３は、通常、ロックピン７２が回転分割板６３の嵌合穴６３ｂおよび下取付部材６１の嵌合穴６１ａに嵌合されることにより、回転不能に維持され、座部３の、作業者の意図しない回転が防止されている。
【００４５】
一方、座部３を回転させる必要が生じた場合、スプリング７３の付勢力に抗して使用者がロックレバー７１の操作部７１３を押し下げれば、ロックレバー７１は、ピン７４回り回動することから、ロックレバー７１に連結されたロックピン７２が上取付部材６５の貫通穴６５ｄに沿って上昇し、回転分割板６３の嵌合穴６３ｄおよび下取付部材６１の嵌合穴６１ａから離脱する（図１２参照）。この状態では、座部３を支持ローラ６４を介して軽快に回転させることができる。
【００４６】
任意の角度に回転した状態で、操作部７１３の押し下げ操作を中断すれば、ロックレバ
ー７１は、スプリング７３の付勢力により、ピン７４回りに回動し、ロックピン７２が回転分割板６３の嵌合穴６３ｂおよび下取付部材６１の嵌合穴６１ａに嵌合し、以後、座部３の回転が阻止される。
【００４７】
次に、上記構成の浴室用椅子１の使用方法について説明する。
【００４８】
なお、出荷時においては、図２および図３に示すように、肘掛け５は、外方のストッパピン５７１がガイドパイプ５３の長穴５３ａに嵌合されて間隔が狭められるとともに、略水平な使用位置にある。
【００４９】
この状態で使用者は、座部３上に座って体を洗うことができる。この際、使用者は、肘掛け５に肘を載せたり、肘掛け本体５１の上辺部５１１もしくは下辺部５１２を適宜把握することができるので、体を安定して支えることができる。また、肘掛け５のクッション部５５が使用者に接触するので、使用感がよい。さらに、使用者の臀部および背中は、座本体３１および背もたれ本体４１の全面を覆って設けられたクッション部３２，４２のみに接触するので、冬場の冷たさを緩和することができるとともに、座り心地がよい。
【００５０】
ここで、肘掛け５に使用者の体重が作用した場合、外れ防止ピン５６１がパイプキャッチ５４の内端縁に当接しているため、パイプキャッチ５４から肘掛け本体５１の上辺部５１１が脱落することはなく、確実に保持される。
【００５１】
体洗いが終了すれば、肘掛け５を略垂直の跳ね上げ位置まで回動させる（図７参照）。すなわち、肘掛け本体５１を把握して上方に持ち上げれば、外方のストッパピン５７１がガイドパイプ５３の長穴５３ａに沿って移動しつつ、肘掛け本体５１の下辺部５１２がガイドパイプ５３回りに回動し、肘掛け本体５１の上辺部５１１がパイプキャッチ５４から離脱する。このため、簡単に跳ね上げ位置に回動させることができる。跳ね上げ位置では、座部３の上部側方が開放されるので、使用者は浴室用椅子１の側方から移乗することができ、使用者、介護者の双方にとって、負担が軽くて済む。
【００５２】
一方、浴室用椅子１の肘掛け５を使用者の体型に合わせて拡張する場合は、肘掛け本体５１を把握して上方に持ち上げ、肘掛け本体５１の下辺部５１２をガイドパイプ５３回りに回動させて、その上辺部５１１をパイプキャッチ５４から離脱させる。次いで、外方のストッパピン５７１を押し込んで、肘掛け本体５１を互いに離隔する方向に引き出せば、ガイドパイプ５３の長穴５３ａに内方のストッパピン５７２が嵌合することから、ストッパピン５７１，５７２の間隔に相当する距離だけ肘掛け５の幅を拡張することができる（図８参照）。この後、肘掛け５を押し下げて、肘掛け本体５１の上辺部５１１をパイプキャッチ５４に装着すればよい。
【００５３】
この状態では、外れ防止リング５６２がパイプキャッチ５４の内端縁に当接するため、肘掛け５に使用者の体重が作用したとしても、パイプキャッチ５４から肘掛け本体５１の上辺部５１１が脱落することはなく、確実に保持される。
【００５４】
ところで、肘掛け５の幅を拡張した位置において、あるいは、縮小した位置において、座部３を回転させる場合は、使用者がロックレバー７１の操作部７１３をスプリング７３の付勢力に抗して押し下げれば、ロックレバー７１に連結されたロックピン７２が上取付部材６５の貫通穴６５ｄに沿って上昇し、回転分割板６３の嵌合穴６３ｄおよび下取付部材６１の嵌合穴６１ａから離脱する（図１２参照）ことから、座部３を支持ローラ６４を介して軽快に回転させることができる。
【００５５】
この際、背もたれ４にもたれた状態で座部３を回転させることにより、偏荷重が作用し
たとしても、下取付部材６１の周縁部に配設された支持ローラ６４によって偏荷重を分散して支持することができ、回転中心部に集中して作用することはない。
【００５６】
座部３が必要位置まで回転したならば、操作部７１３の押し下げ操作を中断すれば、ロックレバー７１に連結されたロックピン７２がスプリング７３の付勢力により回転分割板６３の嵌合穴６３ｂおよび下取付部材６１の嵌合穴６１ａに嵌合し、以後、座部３の回転が阻止される。
【００５７】
したがって、通常、座部３の回転がロックされているので、使用者の意に反して座部３が回転することがなく安全である。また、ロックレバー７１を押し下げるだけでロックが解除され、高齢者などであっても容易に操作することができるので使い易い。さらに、下取付部材６１の嵌合穴６１ａが形成されている位置であれば、所望位置でロックすることができるので、浴槽と使用者間の位置関係や使用者と介助者間の位置関係などを考慮して最適な位置で回転およびロックさせることができ、使用者や介助者の負担が軽くなる。
【００５８】
なお、前述した実施形態においては、下取付部材６１にローラ受け部材６２を固定し、ローラ受け部材６２の各ローラ支持部６２１に支持ローラ６４をそれぞれ回転自在に軸支した場合を例示したが、下取付部材６１にローラ支持部を形成して支持ローラ６４を下取付部材６１に直接設けることもできる。
【００５９】
また、上取付部材６５にローラ当て板６６を固定して支持ローラ６４に載置した場合を例示したが、上取付部材６５に支持ローラ６４に対応する案内溝を形成して、上取付部材６５を直接支持ローラ６４に載置するようにしてもよい。
【００６０】
さらに、支持ローラ６４を下取付部材６１側に設けた場合を例示したが、上取付部材６５側に設けることもできる。この場合は、ローラ受け部材６２を上取付部材６５に設ける一方、ローラ当て板６６を下取付部材６１に設ければよい。
【００６１】
さらにまた、前述した実施形態においては、各肘掛け５を広狭２段に調節する場合を説明したが、３段階以上に調節することもでき、また、肘掛けの幅は固定であってもよい。
【産業上の利用可能性】
【００６２】
以上のように本発明によれば、脚に対して回転機構によって回転自在に支持された座部を、通常、ロック装置によって回転することなくロックすることができるため、使用者の意に反して回転することのない安全な浴室用椅子を提供できる。
【図面の簡単な説明】
【００６３】
【図１】本発明の浴室用椅子の一実施形態を示す斜視図である。
【図２】図１の浴室用椅子の側面図である。
【図３】図１の浴室用椅子の背面図である。
【図４】図１の浴室用椅子の座部の分解斜視図である。
【図５】図１の浴室用椅子の背もたれの分解斜視図である。
【図６】図１の浴室用椅子の肘掛けを示す背面図である。
【図７】図１の浴室用椅子の肘掛けを跳ね上げ位置に回動させた状態を示す側面図である。
【図８】肘掛けの幅を拡張した状態の浴室用椅子の背面図である。
【図９】図１の浴室用椅子の回転機構を示す部分断面図である。
【図１０】図９の回転機構を一部省略して示す拡大図である。
【図１１】上取付部材およびロック装置を示す平面図である。
【図１２】ロック装置を解除した状態の回転機構を一部省略して示す拡大図である。
【符号の説明】
【００６４】
１  浴室用椅子
２  脚
３  座部
４  背もたれ
５  肘掛け
６  回転機構
６１  下取付部材
６２  ローラ受け部材
６３  回転分割板
６４  支持ローラ
６５  上取付部材
６６  ローラ当て板
７  ロック装置
７１  ロックレバー
７２  ロックピン  
７３  スプリング
【図１】
2005110785.tif 000003
【図２】
2005110785.tif 000004
【図３】
2005110785.tif 000005
【図４】
2005110785.tif 000006
【図５】
2005110785.tif 000007
【図６】
2005110785.tif 000008
【図７】
2005110785.tif 000009
【図８】
2005110785.tif 000010
【図９】
2005110785.tif 000011
【図１０】
2005110785.tif 000012
【図１１】
2005110785.tif 000013
【図１２】
2005110785.tif 000014